【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
無線通信システムで受信確認情報を受信する方法において、
時間分割デュプレキシング（ｔｉｍｅ  ｄｉｖｉｓｉｏｎ  ｄｕｐｌｅｘｉｎｇ、ＴＤＤ）を利用するプライマリーセル（ｐｒｉｍａｒｙ  ｃｅｌｌ、ＰＣｅｌｌ）上で、周波数分割デュプレキシング（ｆｒｅｑｕｅｎｃｙ  ｄｉｖｉｓｉｏｎ  ｄｕｐｌｅｘｉｎｇ、ＦＤＤ）を利用するセカンダリーセル（ｓｅｃｏｎｄａｒｙ  ｃｅｌｌ、ＳＣｅｌｌ）と通信するための設定情報を伝送する段階と、
前記ＳＣｅｌｌ上に、４ビットのＨＡＲＱプロセス番号情報を含む下向きリンク制御情報を伝送する段階と、
前記ＳＣｅｌｌ上に、前記下向きリンク制御情報によってスケジューリングされる下向きリンクデータを伝送する段階と、
前記ＰＣｅｌｌ上に、前記下向きリンクデータに関する受信確認情報を受信する段階とを含むことを特徴とする受信確認情報の受信方法。
【請求項２】
前記ＳＣｅｌｌの各受信確認情報を報告するための下向きリンクサブフレームの手順は、下向きリンクサブフレームの手順に従うことを特徴とする請求項１に記載の受信確認情報の受信方法。
【請求項３】
前記ＰＣｅｌｌの上向きリンク−下向きリンク（ｕｐｌｉｎｋ−ｄｏｗｎｌｉｎｋ、ＵＬ−ＤＬ）の設定が０の場合、
前記ＰＣｅｌｌのサブフレーム番号２から受信される前記受信確認情報は、前記ＳＣｅｌｌ上で前記サブフレーム番号２の６個前及び５個前のサブフレームに伝送される下向きリンクデータに関する受信確認情報であり、前記ＰＣｅｌｌのサブフレーム番号７から受信される前記受信確認情報は、前記ＳＣｅｌｌ上で前記サブフレーム番号７の６個前及び５個前のサブフレームに伝送される下向きリンクデータに関する受信確認情報であり、
前記ＰＣｅｌｌのサブフレーム番号３から受信される前記受信確認情報は、前記ＳＣｅｌｌ上で前記サブフレーム番号３の５個前及び４個前のサブフレームに伝送される下向きリンクデータに関する受信確認情報であり、前記ＰＣｅｌｌのサブフレーム番号８から受信される前記受信確認情報は、前記ＳＣｅｌｌ上で前記サブフレーム番号８の５個前及び４個前のサブフレームに伝送される下向きリンクデータに関する受信確認情報であり、
前記ＰＣｅｌｌのサブフレーム番号４から受信される前記受信確認情報は、前記ＳＣｅｌｌ上で前記サブフレーム番号４の４個前のサブフレームに伝送される下向きリンクデータに関する受信確認情報であり、前記ＰＣｅｌｌのサブフレーム番号９から受信される前記受信確認情報は、前記ＳＣｅｌｌ上で前記サブフレーム番号９の４個前のサブフレームに伝送される下向きリンクデータに関する受信確認情報であることを特徴とする請求項２に記載の受信確認情報の受信方法。
【請求項４】
前記ＰＣｅｌｌの上向きリンク−下向きリンク（ｕｐｌｉｎｋ−ｄｏｗｎｌｉｎｋ、ＵＬ−ＤＬ）の設定が１の場合、
前記ＰＣｅｌｌのサブフレーム番号２から受信される前記受信確認情報は、前記ＳＣｅｌｌ上で前記サブフレーム番号２の７個前及び６個前のサブフレームに伝送される下向きリンクデータに関する受信確認情報であり、前記ＰＣｅｌｌのサブフレーム番号７から受信される前記受信確認情報は、前記ＳＣｅｌｌ上で前記サブフレーム番号７の７個前及び６個前のサブフレームに伝送される下向きリンクデータに関する受信確認情報であり、
前記ＰＣｅｌｌのサブフレーム番号３から受信される前記受信確認情報は、前記ＳＣｅｌｌ上で前記サブフレーム番号３の６個前、５個前及び４個前のサブフレームに伝送される下向きリンクデータに関する受信確認情報であり、前記ＰＣｅｌｌのサブフレーム番号８から受信される前記受信確認情報は、前記ＳＣｅｌｌ上で前記サブフレーム番号８の６個前、５個前及び４個前のサブフレームに伝送される下向きリンクデータに関する受信確認情報であることを特徴とする請求項２に記載の受信確認情報の受信方法。
【請求項５】
前記下向きリンク制御情報は、２ビットの下向きリンク割当インデックス（ｄｏｗｎｌｉｎｋ  ａｓｓｉｇｎｍｅｎｔ  ｉｎｄｅｘ、ＤＡＩ）をさらに含むことを特徴とする請求項１に記載の受信確認情報の受信方法。
【請求項６】
無線通信システムで受信確認情報を伝送する方法において、
時間分割デュプレキシング（ｔｉｍｅ  ｄｉｖｉｓｉｏｎ  ｄｕｐｌｅｘｉｎｇ、ＴＤＤ）を利用するプライマリーセル（ｐｒｉｍａｒｙ  ｃｅｌｌ、ＰＣｅｌｌ）上で、周波数分割デュプレキシング（ｆｒｅｑｕｅｎｃｙ  ｄｉｖｉｓｉｏｎ  ｄｕｐｌｅｘｉｎｇ、ＦＤＤ）を利用するセカンダリーセル（ｓｅｃｏｎｄａｒｙ  ｃｅｌｌ、ＳＣｅｌｌ）と通信するための設定情報を受信する段階と、
前記ＳＣｅｌｌ上に、４ビットのＨＡＲＱプロセス番号情報を含む下向きリンク制御情報を受信する段階と、
前記ＳＣｅｌｌ上に、前記下向きリンク制御情報によってスケジューリングされる下向きリンクデータを受信する段階と、
前記ＰＣｅｌｌ上に、前記下向きリンクデータに関する受信確認情報を伝送する段階とを含むことを特徴とする受信確認情報の伝送方法。
【請求項７】
前記ＳＣｅｌｌの各受信確認情報を報告するための下向きリンクサブフレームの手順は、下向きリンクサブフレームの手順に従うことを特徴とする請求項６に記載の受信確認情報の伝送方法。
【請求項８】
前記ＰＣｅｌｌの上向きリンク−下向きリンク（ｕｐｌｉｎｋ−ｄｏｗｎｌｉｎｋ、ＵＬ−ＤＬ）の設定が０の場合、
前記ＰＣｅｌｌのサブフレーム番号２から伝送される前記受信確認情報は、前記ＳＣｅｌｌ上で前記サブフレーム番号２の６個前及び５個前のサブフレームに受信される下向きリンクデータに関する受信確認情報であり、前記ＰＣｅｌｌのサブフレーム番号７から伝送される前記受信確認情報は、前記ＳＣｅｌｌ上で前記サブフレーム番号７の６個前及び５個前のサブフレームに受信される下向きリンクデータに関する受信確認情報であり、
前記ＰＣｅｌｌのサブフレーム番号３から伝送される前記受信確認情報は、前記ＳＣｅｌｌ上で前記サブフレーム番号３の５個前及び４個前のサブフレームに受信される下向きリンクデータに関する受信確認情報であり、前記ＰＣｅｌｌのサブフレーム番号８から伝送される前記受信確認情報は、前記ＳＣｅｌｌ上で前記サブフレーム番号８の５個前及び４個前のサブフレームに受信される下向きリンクデータに関する受信確認情報であり、
前記ＰＣｅｌｌのサブフレーム番号４から伝送される前記受信確認情報は、前記ＳＣｅｌｌ上で前記サブフレーム番号４の４個前のサブフレームに受信される下向きリンクデータに関する受信確認情報であり、前記ＰＣｅｌｌのサブフレーム番号９から伝送される前記受信確認情報は、前記ＳＣｅｌｌ上で前記サブフレーム番号９の４個前のサブフレームに受信される下向きリンクデータに関する受信確認情報であることを特徴とする請求項７に記載の受信確認情報の伝送方法。
【請求項９】
前記ＰＣｅｌｌの上向きリンク−下向きリンク（ｕｐｌｉｎｋ−ｄｏｗｎｌｉｎｋ、ＵＬ−ＤＬ）の設定が１の場合、
前記ＰＣｅｌｌのサブフレーム番号２から伝送される前記受信確認情報は、前記ＳＣｅｌｌ上で前記サブフレーム番号２の７個前及び６個前のサブフレームに受信される下向きリンクデータに関する受信確認情報であり、前記ＰＣｅｌｌのサブフレーム番号７から伝送される前記受信確認情報は、前記ＳＣｅｌｌ上で前記サブフレーム番号７の７個前及び６個前のサブフレームに受信される下向きリンクデータに関する受信確認情報であり、
前記ＰＣｅｌｌのサブフレーム番号３から伝送される前記受信確認情報は、前記ＳＣｅｌｌ上で前記サブフレーム番号３の６個前、５個前及び４個前のサブフレームに受信される下向きリンクデータに関する受信確認情報であり、前記ＰＣｅｌｌのサブフレーム番号８から伝送される前記受信確認情報は、前記ＳＣｅｌｌ上で前記サブフレーム番号８の６個前、５個前及び４個前のサブフレームに受信される下向きリンクデータに関する受信確認情報であることを特徴とする請求項７に記載の受信確認情報の伝送方法。
【請求項１０】
前記下向きリンク制御情報は、２ビットの下向きリンク割当インデックス（ｄｏｗｎｌｉｎｋ  ａｓｓｉｇｎｍｅｎｔ  ｉｎｄｅｘ、ＤＡＩ）をさらに含むことを特徴とする請求項６に記載の受信確認情報の伝送方法。
【請求項１１】
無線通信システムで受信確認情報を受信する基地局において、
端末と信号を送受信する送受信部と、
時間分割デュプレキシング（ｔｉｍｅ  ｄｉｖｉｓｉｏｎ  ｄｕｐｌｅｘｉｎｇ、ＴＤＤ）を利用するプライマリーセル（ｐｒｉｍａｒｙ  ｃｅｌｌ、ＰＣｅｌｌ）上で、周波数分割デュプレキシング（ｆｒｅｑｕｅｎｃｙ  ｄｉｖｉｓｉｏｎ  ｄｕｐｌｅｘｉｎｇ、ＦＤＤ）を利用するセカンダリーセル（ｓｅｃｏｎｄａｒｙ  ｃｅｌｌ、ＳＣｅｌｌ）と通信するための設定情報を伝送し、前記ＳＣｅｌｌ上に、４ビットのＨＡＲＱプロセス番号情報を含む下向きリンク制御情報を伝送し、前記ＳＣｅｌｌ上に、前記下向きリンク制御情報によってスケジューリングされる下向きリンクデータを伝送し、前記ＰＣｅｌｌ上に、前記下向きリンクデータに関する受信確認情報を受信するように制御する制御部とを含むことを特徴とする基地局。
【請求項１２】
前記ＳＣｅｌｌの各受信確認情報を報告するための下向きリンクサブフレームの手順は、下向きリンクサブフレームの手順に従うことを特徴とする請求項１１に記載の基地局。
【請求項１３】
前記ＰＣｅｌｌの上向きリンク−下向きリンク（ｕｐｌｉｎｋ−ｄｏｗｎｌｉｎｋ、ＵＬ−ＤＬ）の設定が０の場合、
前記ＰＣｅｌｌのサブフレーム番号２から受信される前記受信確認情報は、前記ＳＣｅｌｌ上で前記サブフレーム番号２の６個前及び５個前のサブフレームに伝送される下向きリンクデータに関する受信確認情報であり、前記ＰＣｅｌｌのサブフレーム番号７から受信される前記受信確認情報は、前記ＳＣｅｌｌ上で前記サブフレーム番号７の６個前及び５個前のサブフレームに伝送される下向きリンクデータに関する受信確認情報であり、
前記ＰＣｅｌｌのサブフレーム番号３から受信される前記受信確認情報は、前記ＳＣｅｌｌ上で前記サブフレーム番号３の５個前及び４個前のサブフレームに伝送される下向きリンクデータに関する受信確認情報であり、前記ＰＣｅｌｌのサブフレーム番号８から受信される前記受信確認情報は、前記ＳＣｅｌｌ上で前記サブフレーム番号８の５個前及び４個前のサブフレームに伝送される下向きリンクデータに関する受信確認情報であり、
前記ＰＣｅｌｌのサブフレーム番号４から受信される前記受信確認情報は、前記ＳＣｅｌｌ上で前記サブフレーム番号４の４個前のサブフレームに伝送される下向きリンクデータに関する受信確認情報であり、前記ＰＣｅｌｌのサブフレーム番号９から受信される前記受信確認情報は、前記ＳＣｅｌｌ上で前記サブフレーム番号９の４個前のサブフレームに伝送される下向きリンクデータに関する受信確認情報であることを特徴とする請求項１２に記載の基地局。
【請求項１４】
前記ＰＣｅｌｌの上向きリンク−下向きリンク（ｕｐｌｉｎｋ−ｄｏｗｎｌｉｎｋ、ＵＬ−ＤＬ）の設定が１の場合、
前記ＰＣｅｌｌのサブフレーム番号２から受信される前記受信確認情報は、前記ＳＣｅｌｌ上で前記サブフレーム番号２の７個前及び６個前のサブフレームに伝送される下向きリンクデータに関する受信確認情報であり、前記ＰＣｅｌｌのサブフレーム番号７から受信される前記受信確認情報は、前記ＳＣｅｌｌ上で前記サブフレーム番号７の７個前及び６個前のサブフレームに伝送される下向きリンクデータに関する受信確認情報であり、
前記ＰＣｅｌｌのサブフレーム番号３から受信される前記受信確認情報は、前記ＳＣｅｌｌ上で前記サブフレーム番号３の６個前、５個前及び４個前のサブフレームに伝送される下向きリンクデータに関する受信確認情報であり、前記ＰＣｅｌｌのサブフレーム番号８から受信される前記受信確認情報は、前記ＳＣｅｌｌ上で前記サブフレーム番号８の６個前、５個前及び４個前のサブフレームに伝送される下向きリンクデータに関する受信確認情報であることを特徴とする請求項１２に記載の基地局。
【請求項１５】
前記下向きリンク制御情報は、２ビットの下向きリンク割当インデックス（ｄｏｗｎｌｉｎｋ  ａｓｓｉｇｎｍｅｎｔ  ｉｎｄｅｘ、ＤＡＩ）をさらに含むことを特徴とする請求項１１に記載の基地局。
【請求項１６】
無線通信システムで受信確認情報を伝送する端末において、
基地局と信号を送受信する送受信部と、
時間分割デュプレキシング（ｔｉｍｅ  ｄｉｖｉｓｉｏｎ  ｄｕｐｌｅｘｉｎｇ、ＴＤＤ）を利用するプライマリーセル（ｐｒｉｍａｒｙ  ｃｅｌｌ、ＰＣｅｌｌ）上で、周波数分割デュプレキシング（ｆｒｅｑｕｅｎｃｙ  ｄｉｖｉｓｉｏｎ  ｄｕｐｌｅｘｉｎｇ、ＦＤＤ）を利用するセカンダリーセル（ｓｅｃｏｎｄａｒｙ  ｃｅｌｌ、ＳＣｅｌｌ）と通信するための設定情報を受信し、前記ＳＣｅｌｌ上に、４ビットのＨＡＲＱプロセス番号情報を含む下向きリンク制御情報を受信し、前記ＳＣｅｌｌ上に、前記下向きリンク制御情報によってスケジューリングされる下向きリンクデータを受信し、前記ＰＣｅｌｌ上に、前記下向きリンクデータに関する受信確認情報を伝送するように制御する制御部とを含むことを特徴とする端末。
【請求項１７】
前記ＳＣｅｌｌの各受信確認情報を報告するための下向きリンクサブフレームの手順は、下向きリンクサブフレームの手順に従うことを特徴とする請求項１６に記載の端末。
【請求項１８】
前記ＰＣｅｌｌの上向きリンク−下向きリンク（ｕｐｌｉｎｋ−ｄｏｗｎｌｉｎｋ、ＵＬ−ＤＬ）の設定が０の場合、
前記ＰＣｅｌｌのサブフレーム番号２から伝送される前記受信確認情報は、前記ＳＣｅｌｌ上で前記サブフレーム番号２の６個前及び５個前のサブフレームに受信される下向きリンクデータに関する受信確認情報であり、前記ＰＣｅｌｌのサブフレーム番号７から伝送される前記受信確認情報は、前記ＳＣｅｌｌ上で前記サブフレーム番号７の６個前及び５個前のサブフレームに受信される下向きリンクデータに関する受信確認情報であり、
前記ＰＣｅｌｌのサブフレーム番号３から伝送される前記受信確認情報は、前記ＳＣｅｌｌ上で前記サブフレーム番号３の５個前及び４個前のサブフレームに受信される下向きリンクデータに関する受信確認情報であり、前記ＰＣｅｌｌのサブフレーム番号８から伝送される前記受信確認情報は、前記ＳＣｅｌｌ上で前記サブフレーム番号８の５個前及び４個前のサブフレームに受信される下向きリンクデータに関する受信確認情報であり、
前記ＰＣｅｌｌのサブフレーム番号４から伝送される前記受信確認情報は、前記ＳＣｅｌｌ上で前記サブフレーム番号４の４個前のサブフレームに受信される下向きリンクデータに関する受信確認情報であり、前記ＰＣｅｌｌのサブフレーム番号９から伝送される前記受信確認情報は、前記ＳＣｅｌｌ上で前記サブフレーム番号９の４個前のサブフレームに受信される下向きリンクデータに関する受信確認情報であることを特徴とする請求項１７に記載の端末。
【請求項１９】
前記ＰＣｅｌｌの上向きリンク−下向きリンク（ｕｐｌｉｎｋ−ｄｏｗｎｌｉｎｋ、ＵＬ−ＤＬ）の設定が１の場合、
前記ＰＣｅｌｌのサブフレーム番号２から伝送される前記受信確認情報は、前記ＳＣｅｌｌ上で前記サブフレーム番号２の７個前及び６個前のサブフレームに受信される下向きリンクデータに関する受信確認情報であり、前記ＰＣｅｌｌのサブフレーム番号７から伝送される前記受信確認情報は、前記ＳＣｅｌｌ上で前記サブフレーム番号７の７個前及び６個前のサブフレームに受信される下向きリンクデータに関する受信確認情報であり、
前記ＰＣｅｌｌのサブフレーム番号３から伝送される前記受信確認情報は、前記ＳＣｅｌｌ上で前記サブフレーム番号３の６個前、５個前及び４個前のサブフレームに受信される下向きリンクデータに関する受信確認情報であり、前記ＰＣｅｌｌのサブフレーム番号８から伝送される前記受信確認情報は、前記ＳＣｅｌｌ上で前記サブフレーム番号８の６個前、５個前及び４個前のサブフレームに受信される下向きリンクデータに関する受信確認情報であることを特徴とする請求項１７に記載の端末。
【請求項２０】
前記下向きリンク制御情報は、２ビットの下向きリンク割当インデックス（ｄｏｗｎｌｉｎｋ  ａｓｓｉｇｎｍｅｎｔ  ｉｎｄｅｘ、ＤＡＩ）をさらに含むことを特徴とする請求項１６に記載の端末。